(57)【特許請求の範囲】
【請求項１】
部品の外形に設けた位置決め用突起を用いて部品を位置決め保持した後、その位置決め用突起を打抜いて除去した後の孔を、その部品と係合する他の部品により塞ぐようにした部品の組立方法。
【発明の詳細な説明】
【０００１】
【発明の属する技術分野】
本発明は円形の部品等その外形および重さによる位置決めが困難な部品に対して、正確に位置決めして組立てることができる部品の組立方法に関するものである。
【０００２】
【従来の技術】
従来のこの種の部品の組立方法について、携帯用電子機器等に使用される小形可変抵抗器用の円形操作つまみを例として図９〜図１２を用いて説明する。
【０００３】
図９は外周操作型小形可変抵抗器用の弾性接点体付の円形操作つまみの外観斜視図であり、円形操作つまみ１は中心に回転軸挿入用の丸孔１Ａを有し、円形の外周には指先で操作する際の滑り止め用の凹凸部１Ｂを有すると共に、片側表面には回転操作時に抵抗素子上を摺動して抵抗値を変化させる弾性接点体２が装着されている。
【０００４】
この弾性接点体２は、図１０の分解斜視図に示すように、弾性金属薄板をプレス加工して形成されたものであり、取付用平板部２Ａから一体に伸ばされた弾性脚部２Ｂの先端が摺動接点となっており、取付用平板部２Ａの貫通孔部２Ｃに円形操作つまみ１の表面に設けられたダボ１Ｃを通してカシメることによって、円形操作つまみ１に固定されている。
【０００５】
そして、この弾性接点体２を円形操作つまみ１に取付け固定する組立方法は、図１１の組立方法を説明する断面図に示すように、円形操作つまみ１の丸孔１Ａをカシメ治具の下型３の支柱ピン３Ａにはめ込むとともに、円形操作つまみ１裏面中央の小判形の突部１Ｄ（図１２の円形操作つまみ１の裏面側の斜視図参照）をこれと同形状の円形の受け面３Ｂの平行部を有する小判形の凹み３Ｃにはめ込むことによって、円形操作つまみ１の中心位置および方向を決めてから、円形操作つまみ１の表面のダボ１Ｃに弾性接点体２の取付用平板部２Ａの貫通孔部２Ｃをはめ込んで弾性接点体２を位置決めし、上方からポンチ４によってダボ１Ｃを押し潰すことにより、弾性接点体２を円形操作つまみ１にカシメ固定していた。
【０００６】
【発明が解決しようとする課題】
近年、電子機器の価格競争に伴い、電子部品に対しても低価格化の要望が高まり、これに対応するために部品の組立作業も自動化する必要が生じてきた。
【０００７】
そして、部品の組立てを自動化するためには、多数の部品を位置決めした状態で連続して組立設備に供給する必要があり、その方法として、振動により部品の方向を一定にして供給する方式のパーツフィーダが一般に使用されている。
【０００８】
しかしながら上記記載の小形可変抵抗器用の円形操作つまみ１のように、その方向によって部品の外形および重さが変わらないものに対しては、上記の振動方式のパーツフィーダによって部品の方向を一定にして供給することは困難であり、電子部品の低価格化の課題となっていた。
【０００９】
本発明はこのような従来の課題を解決するものであり、円形等の位置決めが困難な部品に対しても正確に位置決めして組立てることができる部品の組立方法を提供することを目的とするものである。
【００１０】
【課題を解決するための手段】
上記課題を解決するために本発明の部品の組立方法は、部品の外形に位置決め用突起を設け、部品搬送の際にこの位置決め用突起を用いて部品の位置および方向を決めて確実に保持した後、この位置決め用突起を打ち抜いて除去した後の孔を、その部品と係合する他の部品により塞ぐようにしたものである。
【００１１】
この本発明により、位置決めが困難な部品に対しても正確に位置決めして組立てることができる部品の組立方法を提供することができる。
【００１２】
【発明の実施の形態】
本発明の請求項１に記載の発明は、部品の外形に設けた位置決め用突起を用いて部品を位置決め保持した後、その位置決め用突起を打抜いて除去した後の孔を、その部品と係合する他の部品により塞ぐようにしたものであり、従来の方法では位置決めの困難な外形および大きさの部品に対しても、位置決め用突起を用いることにより、正確に位置決め保持して部品を組立てることができ、かつこの位置決め用突起を打抜き除去した孔からの塵埃等の侵入を防止できるので、組立作業性が向上し、しかも、品質の劣化しない部品の組立方法を提供できるという作用を有する。
【００１４】
以下、本発明の実施の形態について、小形可変抵抗器用の円形操作つまみを例として、図１〜図８を用いて説明する。
【００１５】
（実施の形態１）
図１は本発明の第１の実施の形態により組立てた小形可変抵抗器用の弾性接点体付の円形操作つまみの断面図、図２は同裏面側の斜視図であり、円形操作つまみ１０は、中心に回転軸挿入用の丸孔１０Ａを有し、円形の外周には操作時の滑り止め用の凹凸部１０Ｂおよび裏面に小判形の突部１０Ｃを備えていると共に、円形操作つまみ１０表面のダボ１０Ｄをカシメることによって弾性接点体２が取付けられていることは従来の技術と同じであるが、その裏面側に後述する位置決め用突起１１を切断除去した切除跡１２が設けられている。
【００１６】
この円形操作つまみ１０は、図３の斜視図に示すように、組立前には裏面側に円柱状の位置決め用突起１１を備えており、搬送時には図４の斜視図に示すように、円形操作つまみ１０の位置決め用突起１１を、振動式パーツフィーダ等に設けた傾斜部１３の上端に引っ掛けて吊り下げるようにして搬送することにより、円形操作つまみ１０の位置および方向を容易にかつ正確に決めて整列させることができ、その後、円形操作つまみ１０の位置決め用突起１１を水平搬送部１４の溝部１４Ａにはまるように、円形操作つまみ１０を水平搬送部１４に載せて搬送することにより、所定方向に揃った円形操作つまみ１０を次工程に連続して供給することができる。
【００１７】
そして、このように順次整列して搬送された円形操作つまみ１０を治具で保持し、図５に示すように、円形操作つまみ１０をカシメ治具の下型１５の円形の受け面１５Ａにはめ込み、まず、円形操作つまみ１０の位置決め用突起１１を水平方向に動く下型１５の切断部１５Ｂにより切断除去し、その後に従来の技術の項で説明した方法と同様に、円形操作つまみ１０のダボ１０Ｄをポンチ４でカシメて弾性接点体２を固定するものである。
【００１８】
このように、円形操作つまみ１０のような円形の部品であっても位置決め用突起１１を設けることによってパーツフィーダ等による整列が可能となり、連続して後工程に部品供給が可能になるものである。
【００１９】
なお、この位置決め用突起１１の切断工程とカシメ工程の順序は、どちらを先に行っても良いことは勿論である。
【００２０】
また、この位置決め用突起１１の形状や形成位置およびその切断方法等は適宜選択して決定すれば良いことも言うまでもない。
【００２１】
（実施の形態２）
図６は本発明の第２の実施の形態により組立てた小形可変抵抗器用の弾性接点体付の円形操作つまみの断面図、図７は同裏面側の斜視図であり、円形操作つまみ１０の位置決め用突起１１を実施の形態１に説明したように切断除去する代わりに打抜き除去したものであり、円形操作つまみ１０の裏面側には、その打抜き切除孔１６があいている。
【００２２】
そして、この打抜き切除孔１６は、円形操作つまみ１０表面に取付けた弾性接点体２の取付用平板部２Ａによって塞がれており、円形操作つまみ１０の打抜き切除孔１６からの塵埃等の侵入を防止できるものとなっている。
【００２３】
この組立方法は、円形操作つまみ１０を振動式パーツフィーダ等により所定の方向に揃えて搬送して保持し、図８の断面図に示すように、カシメ治具の下型１７に円形操作つまみ１０をはめ込み、上下方向に動くパンチ１８により円形操作つまみ１０の位置決め用突起１１周辺を下方に打抜いて除去し、その後に弾性接点体２を取付けるものである。
【００２４】
このようにすると、組立時の設備の動く方向が上下方向のみとなり、簡単な構造の設備によって部品を効率良く組立てることができ、またその打抜き切除孔１６を他部品により塞ぐ構成としたため、塵埃等が侵入し難い品質の劣化しない部品の組立方法を提供できるものである。
【００２５】
【発明の効果】
以上のように本発明による部品の組立方法は、円形状等の位置決めが困難な部品に対しても、パーツフィーダ等により正確に位置決めして搬送・保持できると共に、この位置決め用突起を打抜き除去した孔からの塵埃等の侵入を防止できるので、組立作業性が向上し、しかも、品質の劣化しない部品の組立方法を提供できるため、組立設備への連続供給が可能となり、組立コスト等を低減できる実用的価値の高いものである。
【図面の簡単な説明】
【図１】本発明の第１の実施の形態により組立てた小形可変抵抗器用の弾性接点体付の円形操作つまみの断面図
【図２】同裏面側の斜視図
【図３】同組立前の裏面側の斜視図
【図４】同円形操作つまみの搬送状態を説明する斜視図
【図５】同円形操作つまみに弾性接点体を取付け固定する組立方法を説明する断面図
【図６】本発明の第２の実施の形態により組立てた小形可変抵抗器用の弾性接点体付の円形操作つまみの断面図
【図７】同裏面側の斜視図
【図８】同円形操作つまみに弾性接点体を取付け固定する組立方法を説明する断面図
【図９】従来の小形可変抵抗器用の弾性接点体付の円形操作つまみの外観斜視図
【図１０】同分解斜視図
【図１１】同円形操作つまみに弾性接点体を取付け固定する組立方法を説明する断面図
【図１２】同円形操作つまみの裏面側の斜視図
【符号の説明】
２  弾性接点体
２Ａ  取付用平板部
４  ポンチ
１０  円形操作つまみ
１０Ａ  回転軸挿入用の丸孔
１０Ｂ  凹凸部
１０Ｃ  小判形の突部
１０Ｄ  ダボ
１１  位置決め用突起
１２  切除跡
１３  傾斜部
１４  水平搬送部
１４Ａ  溝部
１５，１７  カシメ治具の下型
１５Ａ  円形の受け面
１５Ｂ  切断部
１６  打抜き切除孔
１８  パンチ
【図１】
0003760542.tif 000002
【図２】
0003760542.tif 000003
【図３】
0003760542.tif 000004
【図４】
0003760542.tif 000005
【図５】
0003760542.tif 000006
【図６】
0003760542.tif 000007
【図７】
0003760542.tif 000008
【図８】
0003760542.tif 000009
【図９】
0003760542.tif 000010
【図１０】
0003760542.tif 000011
【図１１】
0003760542.tif 000012
【図１２】
0003760542.tif 000013